(57)【特許請求の範囲】
【請求項１】
光源が発した光の読取対象物からの反射光を複数の受光素子で受光して得られた画像データに対する画像処理を行う画像処理装置であって、
前記画像データにおける各画素の色が、前記読取対象物における前記受光素子の非読取対象位置での反射光による読取画像の余白部分の色づきの色範囲として設定された補正対象色範囲に属するか否かを判定する判定部と、
前記補正対象色範囲に属する色の画素の濃度を低減する補正を行う補正部と
を備えることを特徴とする画像処理装置。
【請求項２】
前記判定部は、複数の前記補正対象色範囲を設定可能であり、
前記補正部は、前記補正対象色範囲ごとに濃度の補正を行うことを特徴とする請求項１に記載の画像処理装置。
【請求項３】
前記補正部は、指定された画像処理モードに応じて濃度の補正量を調整することを特徴とする請求項１または２に記載の画像処理装置。
【請求項４】
光源が発した光の読取対象物からの反射光を複数の受光素子で受光して得られた画像データに対する画像処理を行う画像処理方法であって、
前記画像データにおける各画素の色が、前記読取対象物における前記受光素子の非読取対象位置での反射光による読取画像の余白部分の色づきの色範囲として設定された補正対象色範囲に属するか否かを判定するステップと、
前記補正対象色範囲に属する色の画素の濃度を低減する補正を行うステップと
を含むことを特徴とする画像処理方法。
【請求項５】
前記判定するステップにおいて、複数の前記補正対象色範囲を設定可能であり、
前記補正を行うステップにおいて、前記補正対象色範囲ごとに濃度の補正を行うことを特徴とする請求項４に記載の画像処理方法。
【請求項６】
前記補正を行うステップにおいて、指定された画像処理モードに応じて濃度の補正量を調整することを特徴とする請求項４または５に記載の画像処理方法。
【発明の詳細な説明】
【技術分野】
【０００１】
本発明は、原稿を光学的に読み取って得られた画像データに対して画像処理を行う画像処理装置および画像処理方法に関する。
【背景技術】
【０００２】
従来、光源から原稿に光を照射し、原稿からの反射光をＣＣＤ（Charge Coupled Device）等の受光素子で受光して原稿の読取画像を得る画像読取装置が知られている。このような画像読取装置に関して、読取画像の画質の低下を抑える技術が提案されている。
【０００３】
例えば、特許文献１には、原稿を位置決めするための位置決め板の原稿に隣接する領域からの反射光を読み取って得られた値を用いて、原稿の読取画像における端部の領域を補正する技術が開示されている。これにより、特許文献１の技術では、位置決め板の影響により読取画像の端部が暗くなる等の不都合を抑制している。
【先行技術文献】
【特許文献】
【０００４】
【特許文献１】特開２００９−１７３７５号公報
【発明の概要】
【発明が解決しようとする課題】
【０００５】
画像読取装置では、各受光素子が、対応する読取対象位置における原稿からの反射光を受光する。ここで、画像読取装置内の部材による乱反射の影響により、受光素子が、本来の読取対象位置以外の他の位置からの反射光も受光することがある。例えば、受光素子が、本来の読取対象位置にある原稿上の余白部分からの反射光に、周辺の画像部分からの反射光が合成された光を受光することがある。このため、読取画像において、画像部分の周辺の余白部分が色づく現象が生じることがある。以下、この現象を「色引きずり」と呼ぶ。この色引きずりは、読取画像の画質を低下させる。
【０００６】
特許文献１の技術では、位置決め板が読取画像に与える影響を抑えているが、上述の色引きずりには対処できない。
【０００７】
本発明は上記に鑑みてなされたもので、画像読取装置による読取画像の画質の低下を抑制できる画像処理装置および画像処理方法を提供することを目的とする。
【課題を解決するための手段】
【０００８】
上記目的を達成するため、本発明に係る画像処理装置の第１の特徴は、光源が発した光の読取対象物からの反射光を受光素子で受光して得られた画像データに対する画像処理を行う画像処理装置であって、前記画像データにおける各画素の色が所定の補正対象色範囲に属するか否かを判定する判定部と、前記補正対象色範囲に属する色の画素の濃度を低減する補正を行う補正部とを備えることにある。
【０００９】
本発明に係る画像処理装置の第２の特徴は、前記判定部は、複数の前記補正対象色範囲を設定可能であり、前記補正部は、前記補正対象色範囲ごとに濃度の補正を行うことにある。
【００１０】
本発明に係る画像処理装置の第３の特徴は、前記補正部は、指定された画像処理モードに応じて濃度の補正量を調整することにある。
【００１１】
本発明に係る画像処理方法の第１の特徴は、光源が発した光の読取対象物からの反射光を受光素子で受光して得られた画像データに対する画像処理を行う画像処理方法であって、前記画像データにおける各画素の色が所定の補正対象色範囲に属するか否かを判定するステップと、前記補正対象色範囲に属する色の画素の濃度を低減する補正を行うステップとを含むことにある。
【００１２】
本発明に係る画像処理方法の第２の特徴は、前記判定するステップにおいて、複数の前記補正対象色範囲を設定可能であり、前記補正を行うステップにおいて、前記補正対象色範囲ごとに濃度の補正を行うことにある。
【００１３】
本発明に係る画像処理方法の第３の特徴は、前記補正を行うステップにおいて、指定された画像処理モードに応じて濃度の補正量を調整することにある。
【発明の効果】
【００１４】
本発明に係る画像処理装置の第１の特徴によれば、補正部が、補正対象色範囲に属する色の画素の濃度を低減する補正を行う。これにより、色引きずり画像の濃度を低減し、読取画像の画質の低下を抑制できる。
【００１５】
本発明に係る画像処理装置の第２の特徴によれば、判定部は、複数の補正対象色範囲を設定可能であり、補正部は、補正対象色範囲ごとに濃度の補正を行う。これにより、細かな補正が可能であり、確実に色引きずり画像の濃度を低減できる。
【００１６】
本発明に係る画像処理装置の第３の特徴によれば、指定された画像処理モードに応じて濃度の補正量を調整するので、画像処理モードに応じた適切な濃度補正を行うことができる。
【００１７】
本発明に係る画像処理方法の第１の特徴によれば、補正対象色範囲に属する色の画素の濃度を低減する補正を行う。これにより、色引きずり画像の濃度を低減し、読取画像の画質の低下を抑制できる。
【００１８】
本発明に係る画像処理方法の第２の特徴によれば、複数の補正対象色範囲を設定可能であり、補正対象色範囲ごとに濃度の補正を行う。これにより、細かな補正が可能であり、確実に色引きずり画像の濃度を低減できる。
【００１９】
本発明に係る画像処理方法の第３の特徴によれば、指定された画像処理モードに応じて濃度の補正量を調整するので、画像処理モードに応じた適切な濃度補正を行うことができる。
【図面の簡単な説明】
【００２０】
【図１】実施の形態に係る画像読取装置の構成を示すブロック図である。
【図２】画像読取機構部の概略構成図である。
【図３】色引きずりの発生原因を説明するための模式図である。
【図４】色引きずり画像を示す図である。
【図５】色相角および彩度の算出方法を説明するための図である。
【図６】補正曲線を示す図である。
【図７】補正曲線を示す図である。
【図８】補正処理のフローチャートである。
【発明を実施するための形態】
【００２１】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００２２】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２３】
図１は、本発明の実施の形態に係る画像読取装置の構成を示すブロック図、図２は、図１に示す画像読取装置における画像読取機構部の概略構成図である。
【００２４】
図１に示すように、本実施の形態に係る画像読取装置１は、画像読取機構部２と、画像処理部３と、操作パネル部４と、制御部５とを備える。
【００２５】
画像読取機構部２は、読取対象物である原稿に光を照射し、原稿からの反射光を受光する。図１、図２に示すように、画像読取機構部２は、コンタクトガラス１１と、位置決め板１２と、自動読取用ガラス１３と、原稿搬送モータ１４と、ガイド板１５と、光源ユニット１６と、ミラーユニット１７と、移動モータ１８と、レンズ１９と、ラインセンサ２０とを備える。
【００２６】
コンタクトガラス１１は、フラットベッド読取モードで読み取られる原稿Ｇが載置されるものである。フラットベッド読取モードは、光源ユニット１６およびミラーユニット１７を移動させつつ、コンタクトガラス１１上に載置された原稿Ｇを読み取るモードである。
【００２７】
位置決め板１２は、コンタクトガラス１１に載置される原稿Ｇを位置決めするためのものである。位置決め板１２は、コンタクトガラス１１の一端側に配置されている。
【００２８】
自動読取用ガラス１３は、シートスルー読取モードにおいて原稿Ｇに照射される光および原稿Ｇからの反射光を透過するものである。シートスルー読取モードは、光源ユニット１６およびミラーユニット１７を固定し、原稿Ｇを副走査方向に自動搬送させつつ原稿Ｇを読み取るモードである。
【００２９】
原稿搬送モータ１４は、シートスルー読取モードにおいて原稿Ｇを搬送するための駆動力を発生する。原稿搬送モータ１４が、図示しないローラ等からなる原稿搬送機構を駆動させ、原稿Ｇを副走査方向に搬送させるようになっている。
【００３０】
ガイド板１５は、シートスルー読取モードにおいて、搬送される原稿Ｇを自動読取用ガラス１３上にガイドするものである。
【００３１】
光源ユニット１６は、原稿Ｇに光を照射するとともに、原稿Ｇからの反射光をミラーユニット１７に出射する。光源ユニット１６は、コンタクトガラス１１の下方に配置され、副走査方向に移動可能に構成されている。光源ユニット１６は、第１光源部２１と、第２光源部２２と、第１ミラー２３と、これらを保持する枠体２４とを備える。
【００３２】
第１光源部２１および第２光源部２２は、原稿Ｇに光を照射する。第１光源部２１および第２光源部２２は、それぞれ、ＬＥＤ等からなる発光素子と、主走査方向に細長い導光体とを備える。主走査方向は、図２において紙面に垂直な方向であり、副走査方向に直交する方向である。発光素子の発する光が導光体の一端面に入射され、導光体が光を主走査方向に導きつつ光を外部に拡散させることで、上方の原稿Ｇに光が照射されるようになっている。
【００３３】
なお、第１光源部２１および第２光源部２２は、主走査方向に細長い冷陰極管でもよい。また、第１光源部２１および第２光源部２２は、それぞれ、主走査方向に細長い基板と、この基板に実装され、主走査方向に配列された複数のＬＥＤとを備える構成でもよい。
【００３４】
ミラーユニット１７は、光源ユニット１６からの光を反射してレンズ１９に出射する。ミラーユニット１７は、コンタクトガラス１１の下方に配置され、副走査方向に移動可能に構成されている。ミラーユニット１７は、第２ミラー２６と、第３ミラー２７と、これらを保持する枠体２８とを備える。
【００３５】
第２ミラー２６は、第１ミラー２３からの光を第３ミラー２７に向けて反射する。第２ミラー２６は、第１ミラー２３と略並行に配置されている。
【００３６】
第３ミラー２７は、第２ミラー２６からの光をレンズ１９に向けて反射する。第３ミラー２７は、第２ミラー２６の下方において、第２ミラー２６に対して略垂直に設置されている。
【００３７】
移動モータ１８は、光源ユニット１６およびミラーユニット１７を移動させるための駆動力を発生する。移動モータ１８の駆動力が、図示しない移動機構により光源ユニット１６およびミラーユニット１７に伝達され、光源ユニット１６およびミラーユニット１７が副走査方向に移動するようになっている。光源ユニット１６およびミラーユニット１７の移動機構は、ミラーユニット１７の移動量を光源ユニット１６の移動量の半分とし、原稿Ｇからラインセンサ２０に至る光路長を一定に保つ構造となっている。
【００３８】
レンズ１９は、ミラーユニット１７からの光を集光してラインセンサ２０に入射させる。
【００３９】
ラインセンサ２０は、レンズ１９を介して入射される原稿Ｇからの反射光を光電変換して電気信号を生成する。ラインセンサ２０は、主走査方向にライン状に配列された複数の受光素子（図示せず）を有する。受光素子は、例えば、ＣＣＤからなる。
【００４０】
画像処理部３は、ラインセンサ２０で受光して生成された電気信号をＡ／Ｄ変換して原稿Ｇの画像データを生成するとともに、この画像データに対して色引きずり画像を低減するための補正を行う。画像処理部３は、請求項の画像処理装置に相当する。画像処理部３は、信号処理部３１と、ＲＧＢ→ＹＣｂＣｒ変換部３２と、判定部３３と、補正部３４と、ＹＣｂＣｒ→ＲＧＢ変換部３５と、ファイル生成部３６とを備える。
【００４１】
信号処理部３１は、ラインセンサ２０で生成された電気信号をＡ／Ｄ変換し、原稿Ｇの画像データを生成する。本実施の形態において、この画像データは、各色８ビット（２５６階調）のＲＧＢ形式のデータであるとする。
【００４２】
ＲＧＢ→ＹＣｂＣｒ変換部３２は、ＲＧＢ形式の画像データにおける各画素のＲＧＢ値をＹＣｂＣｒ形式の値に変換する。ＹＣｂＣｒ形式は、色をＹ（輝度）とＣｂ，Ｃｒ（色差）とで表す形式である。ＲＧＢ形式からＹＣｂＣｒ形式への変換は、例えば、以下の式（１）〜式（３）により行うことができる。
【００４３】
Ｙ＝（７７×Ｒ＋１５０×Ｇ＋２９×Ｂ）／２５６      …（１）
Ｃｂ＝（−４３×Ｒ−８５×Ｇ＋１２８×Ｂ）／２５６  …（２）
Ｃｒ＝（１２８×Ｒ−１０７×Ｇ−２１×Ｂ）／２５６  …（３）
判定部３３は、Ｙ，Ｃｂ，Ｃｒの値に基づき、各画素の色が所定の補正対象色範囲に属するか否かを判定する。具体的には、判定部３３は、各画素についてＣｂ，Ｃｒの値から色相角Ｈおよび彩度Ｃを算出する。そして、判定部３３は、輝度Ｙ、色相角Ｈ、彩度Ｃに基づき、各画素の色が補正対象色範囲に属するか否かを判定する。補正対象色範囲は、色引きずりにより生じる色引きずり画像の色範囲として想定され、色引きずり画像の濃度を低減するための補正対象とする色範囲として設定されるものである。
【００４４】
ここで、色引きずりについて説明する。図３は、色引きずりの発生原因を説明するための模式図である。
【００４５】
図３において、読取対象領域４１は、原稿Ｇと光源ユニット１６との相対移動中においてラインセンサ２０により当該領域からの反射光が受光される原稿Ｇ上の領域である。ここで、読取対象領域４１内の読取対象位置４２からの反射光を受光するラインセンサ２０内の受光素子を、注目受光素子とする。
【００４６】
注目受光素子は、第１光源部２１および第２光源部２２からの副走査方向に略平行な光Ｌｉ１，Ｌｉ２の読取対象位置４２による反射光を受光する。このとき、読取対象位置４２とは異なる非読取対象位置４３による反射光Ｌｒ１が第１光源部２１の構成部材で反射された反射光Ｌｒ２が、光Ｌｉ１，Ｌｉ２の読取対象位置４２による反射光に合成されることがある。そして、この合成光が注目受光素子で受光される。なお、反射光Ｌｒ１は、第２光源部２２から出射された副走査方向に平行ではない光Ｌｄが原稿Ｇ上の非読取対象位置４３で反射された光である。
【００４７】
読取対象位置４２が原稿Ｇ上の余白内であり、非読取対象位置４３に画像がある場合、上記のような合成光が注目受光素子で受光されることにより、読取画像の余白部分が色づく。このようなことから、読取画像において、例えば、図４に示すように、画像４６の周辺の本来は余白である領域が色づいた色引きずり画像４７が現れることがある。この現象が、色引きずりである。色引きずり画像４７は、本来の原稿Ｇ中にはなく、読取画像の画質を低下させるものである。
【００４８】
色引きずり画像４７は、画像４６に対して主走査方向に現れやすい。色引きずり画像４７は、画像４６と同色相の色で、画像４６より低い濃度となる。なお、図３の例では、第１光源部２１の構成部材が反射した反射光Ｌｒ２が色引きずりの要因となるものとして説明したが、画像読取機構部２内の他の部材が反射した光が色引きずりの要因となることもある。
【００４９】
画像読取機構部２の構成により、色引きずりが生じやすい色域が、予め特定される。例えば、第１光源部２１および第２光源部２２の光の波長によって、色引きずりが生じやすい色域が存在する。このため、上述の補正対象色範囲は、例えば、画像読取装置１の工場出荷時に設定される。なお、画像読取装置１の出荷後において、操作パネル部４の操作によりサービスマン等が補正対象色範囲を設定できるようにしてもよい。
【００５０】
補正対象色範囲は、輝度Ｙ、色相角Ｈ、彩度Ｃの組み合せにより規定される。すなわち、補正対象色範囲は、「Ｙｔｈ１≦Ｙ≦Ｙｔｈ２、かつＨｔｈ１≦Ｈ≦Ｈｔｈ２、かつＣｔｈ１≦Ｃ≦Ｃｔｈ２」のように規定される。ここで、Ｙｔｈ１，Ｙｔｈ２は輝度Ｙの閾値、Ｈｔｈ１，Ｈｔｈ２は色相角Ｈの閾値、Ｃｔｈ１，Ｃｔｈ２は彩度Ｃの閾値である。複数の補正対象色範囲を設定してもよい。前述のように、色引きずり画像４７は、画像４６より低い濃度（高い輝度）となるため、補正対象色範囲における輝度の範囲は、比較的高い輝度の範囲となる。
【００５１】
色相角Ｈは、ＣｂＣｒ平面において、Ｃｂ値、Ｃｒ値をプロットした点とＣｂＣｒ平面の原点とを結ぶ線と、Ｃｂ軸とのなす角度として算出される。例えば、図５に示すように、ＣｂＣｒ平面において点Ａ（Ｃｂ１，Ｃｒ１）に対応する画素の色相角Ｈは、以下の式（４）により算出される。
【００５２】
Ｈ＝ｔａｎ−１（Ｃｒ１／Ｃｂ１）  …（４）
また、彩度Ｃは、ＣｂＣｒ平面において、Ｃｂ値、Ｃｒ値をプロットした点と、ＣｂＣｒ平面の原点との距離として算出される。例えば、図５の点Ａに対応する画素の彩度Ｃは、以下の式（５）により算出される。
【００５３】
Ｃ＝（Ｃｂ１２＋Ｃｒ１２）１／２  …（５）
補正部３４は、補正対象色範囲に属する色の画素の濃度を低減する補正を行う。具体的には、補正部３４は、補正対象色範囲に属する画素の輝度Ｙの値を大きくする補正を行う。ここで、輝度Ｙの値は、暗い方から明るい方に向かって、０〜２５５の値で示される。このため、画素の輝度Ｙの値を大きくすることで、当該画素の濃度が低減される。
【００５４】
補正部３４は、補正対象色範囲ごとに濃度（輝度）の補正を行う。例えば、第１補正対象色範囲として、「Ｙｔｈ１≦Ｙ≦Ｙｔｈ２、かつＨｔｈ１≦Ｈ≦Ｈｔｈ２、かつＣｔｈ１≦Ｃ≦Ｃｔｈ２」が設定され、第２補正対象色範囲として、「Ｙ＞Ｙｔｈ２、かつ、色相角Ｈおよび彩度Ｃが全範囲」が設定されているとする。この場合、補正部３４は、第１補正対象色範囲、第２補正対象色範囲に属する色の画素の輝度Ｙに対して、例えば、それぞれ図６、図７に示すような補正曲線に基づいて補正を行う。図６、図７において、横軸は補正前の輝度Ｙの値である入力値、縦軸は補正後の輝度Ｙの値である出力値を示す。図６、図７は、出力値を入力値に対して大きくする、すなわち画素の濃度を低減することを示している。
【００５５】
図６において、補正曲線５１は、画像処理モードとしてコピーモードが指定された場合に対応するものである。補正曲線５２は、スキャンモードに対応するものである。コピーモードの場合、本来の原稿Ｇの画像が消えることがない程度に輝度の補正量を設定する。一方、スキャンモードの場合、画像データをファイル化したときのデータ量を抑制することを優先するため、図６のように、コピーモードの場合よりも輝度の補正量を大きくする。補正部３４は、指定される画像処理モードに応じて、補正曲線５１または補正曲線５２を選択することで、濃度（輝度）の補正量を調整する。画像処理モードは、操作パネル部４の操作によりユーザが指定可能である。
【００５６】
図７において、補正曲線５３は直線状であり、Ｙ＞Ｙｔｈ２の範囲における輝度Ｙを最大値の２５５に補正することを示している。補正曲線５３は、コピーモード、スキャンモードに共通して使用されるものである。
【００５７】
ＹＣｂＣｒ→ＲＧＢ変換部３５は、各画素のＹＣｂＣｒ形式の値を、ＲＧＢ値に変換する。補正部３４による補正が行われた画素については、ＹＣｂＣｒ→ＲＧＢ変換部３５は、補正後のＹＣｂＣｒ形式の値を、ＲＧＢ値に変換する。ＹＣｂＣｒ形式からＲＧＢ形式への変換は、例えば、以下の式（６）〜式（８）により行うことができる。
【００５８】
Ｒ＝（２５６×Ｙ＋３５９×Ｃｒ）／２５６              …（６）
Ｇ＝（２５６×Ｙ−８８×Ｃｂ−１８３×Ｃｒ）／２５６  …（７）
Ｂ＝（２５６×Ｙ＋４５４×Ｃｂ）／２５６              …（８）
ファイル生成部３６は、スキャンモードにおいて、画像データをＰＤＦ等の所定の形式でファイル化する。
【００５９】
操作パネル部４は、各種の情報等を表示するとともに、ユーザの入力操作を受け付けるものである。操作パネル部４は、各種の情報等を表示する液晶表示パネル等、ユーザが各種の入力操作を行うための操作ボタンおよびタッチパネル等を備える。操作パネル部４は、画像読取装置１が接続される印刷装置が備えるものでもよい。
【００６０】
制御部５は、画像読取装置１全体の動作を制御する。
【００６１】
画像読取装置１は、ＣＰＵ、ＲＡＭ、ＲＯＭ等を備えて構成される。ＣＰＵがプログラムを実行すること等により、画像処理部３、制御部５の機能が実現される。
【００６２】
次に、画像読取装置１の動作について説明する。
【００６３】
フラットベッド読取モードの場合、制御部５は、第１光源部２１および第２光源部２２を点灯させ、移動モータ１８により光源ユニット１６およびミラーユニット１７を副走査方向に移動させつつ、ラインセンサ２０により原稿Ｇからの反射光を受光させる。
【００６４】
シートスルー読取モードの場合、まず、制御部５は、移動モータ１８により光源ユニット１６を自動読取用ガラス１３の直下に移動させる。そして、制御部５は、第１光源部２１および第２光源部２２を点灯させ、原稿搬送モータ１４により原稿Ｇを副走査方向に搬送させつつ、ラインセンサ２０により原稿Ｇからの反射光を受光させる。
【００６５】
原稿Ｇからの反射光を受光したラインセンサ２０は、受光量に応じた電気信号を出力する。画像処理部３の信号処理部３１は、ラインセンサ２０から出力された電気信号をＡ／Ｄ変換して画像データを生成する。
【００６６】
上記のようにして得られる画像データに対して、画像処理部３により、色引きずり画像の濃度を低減するための補正処理を行う。この補正処理について、図８のフローチャートを参照して説明する。
【００６７】
図８のステップＳ１０において、制御部５は、画像データにおけるライン番号を示す変数ｌに「１」を設定する。
【００６８】
次いで、ステップＳ２０において、制御部５は、ライン上における画素番号を示す変数ｍに１を設定する。
【００６９】
次いで、ステップＳ３０において、ＲＧＢ→ＹＣｂＣｒ変換部３２は、ｌライン目のｍ番目の画素（注目画素）のＲＧＢ値をＹＣｂＣｒ形式の値に変換する。
【００７０】
次いで、ステップＳ４０において、判定部３３は、注目画素のＣｂ，Ｃｒの値から、色相角Ｈおよび彩度Ｃを算出する。
【００７１】
次いで、ステップＳ５０において、判定部３３は、輝度Ｙ、色相角Ｈ、彩度Ｃに基づき、注目画素の色が、設定された補正対象色範囲に属するか否かを判定する。補正対象色範囲が複数設定されている場合、判定部３３は、注目画素の色が、設定された複数の補正対象色範囲のいずれかに属するか否かを判定する。
【００７２】
判定部３３が、注目画素の色が補正対象色範囲に属すると判定した場合（ステップＳ５０：ＹＥＳ）、ステップＳ６０において、補正部３４は、注目画素の濃度補正を行う。具体的には、補正部３４は、注目画素の色が属する補正対象色範囲および指定された画像処理モードに応じて、図６、図７に示したような補正曲線に基づき、注目画素の輝度を補正する。
【００７３】
次いで、ステップＳ７０において、ＹＣｂＣｒ→ＲＧＢ変換部３５は、補正部３４による補正後の注目画素のＹＣｂＣｒ形式の値を、ＲＧＢ値に変換する。
【００７４】
判定部３３が、注目画素の色がいずれの補正対象色範囲にも属さないと判定した場合（ステップＳ５０：ＮＯ）、注目画素に対する補正は省略され、ステップＳ７０において、ＹＣｂＣｒ→ＲＧＢ変換部３５が、注目画素のＹＣｂＣｒ形式の値を、ＲＧＢ値に変換する。
【００７５】
次いで、ステップＳ８０において、制御部５は、変数ｍが、１ラインにおける最終画素であることを示すＭであるか否かを判断する。
【００７６】
ｍ＝Ｍでないと判断した場合（ステップＳ８０：ＮＯ）、ステップＳ９０において、制御部５は、変数ｍに「１」を加える。この後、ステップＳ３０に処理が戻る。
【００７７】
ｍ＝Ｍであると判断した場合（ステップＳ８０：ＹＥＳ）、ステップＳ１００において、制御部５は、変数ｌが、最終ラインであることを示すＬであるか否かを判断する。
【００７８】
ｌ＝Ｌでないと判断した場合（ステップＳ１００：ＮＯ）、ステップＳ１１０において、制御部５は、変数ｌに「１」を加える。この後、ステップＳ２０に処理が戻る。
【００７９】
制御部５が、ｌ＝Ｌであると判断した場合（ステップＳ１００：ＹＥＳ）、補正処理が終了する。
【００８０】
画像処理モードがコピーモードである場合、制御部５は、補正処理後のＲＧＢ形式の画像データを印刷装置に出力する。画像データは、印刷装置において、例えばＣＭＹＫ形式に変換され、印刷に用いられる。
【００８１】
画像処理モードがスキャンモードである場合、制御部５は、ファイル生成部３６により、補正処理後のＲＧＢ形式の画像データを所定の形式でファイル化させる。その後、制御部５は、ファイル化された画像データを、記憶装置等に出力する。
【００８２】
以上説明したように、画像読取装置１では、補正部３４が、補正対象色範囲に属する色の画素の濃度を低減する補正を行う。これにより、画像読取装置１は、色引きずり画像の濃度を低減できる。この結果、画像読取装置１は、読取画像の画質の低下を抑制できる。
【００８３】
また、画像読取装置１では、複数の補正対象色範囲を設定可能であり、補正対象色範囲ごとに濃度の補正を行う。これにより、細かな補正が可能であり、確実に色引きずり画像の濃度を低減できる。なお、指定された画像処理モードに応じて、補正対象色範囲の設定を変更するようにしてもよい。
【００８４】
また、画像読取装置１では、指定された画像処理モードに応じて濃度の補正量を調整するので、画像処理モードに応じた適切な濃度補正を行うことができる。
【００８５】
なお、上記実施の形態では、ＲＧＢ形式の画像データをＹＣｂＣｒ形式に変換し、これを用いて補正処理を行ったが、これに限らない。例えば、ＲＧＢ形式の画像データをＬ＊ａ＊ｂ＊表示系等の他の形式のデータに変換し、これを用いて補正処理を行ってもよい。
【００８６】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００８７】
１  画像読取装置
２  画像読取機構部
３  画像処理部
４  操作パネル部
５  制御部
１６  光源ユニット
１７  ミラーユニット
１９  レンズ
２０  ラインセンサ
２１  第１光源部
２２  第２光源部
３１  信号処理部
３２  ＲＧＢ→ＹＣｂＣｒ変換部
３３  判定部
３４  補正部
３５  ＹＣｂＣｒ→ＲＧＢ変換部
３６  ファイル生成部
【図１】
0005856464.tif 000002
【図２】
0005856464.tif 000003
【図３】
0005856464.tif 000004
【図４】
0005856464.tif 000005
【図５】
0005856464.tif 000006
【図６】
0005856464.tif 000007
【図７】
0005856464.tif 000008
【図８】
0005856464.tif 000009